(57)【特許請求の範囲】
【請求項１】
飲料容器の口部に螺合させて装着させる装着部と、
前記飲料容器内に所定圧のガスを送り込むガスボンベと前記飲料容器内とを連通するガス供給路と、
前記飲料容器に挿入される取出路と、
取り出された前記飲料容器内の飲料を注出する注出部と、
前記取出路により取り出され、前記注出部から注出される飲料の流通を許可する開閉バルブとが、一体的なユニットとして構成され、
前記取出路の先端には、前記飲料容器の口部を閉塞しているキャップ体に貫通孔を形成せしめる穿孔部が設けられ、
穿孔部は飲料容器から取出路に取出される飲料を減速させるよう先端側に向って先細り状に形成され、かつ穿孔部の取出路との付け根部分の横断面積は口部の中心から周縁までの面積の半分を占める程度の大きさを有することを特徴とする炭酸飲料注出器。
【発明の詳細な説明】
【０００１】
【発明の属する技術分野】
本発明は、飲料の収容された容器に装着させて内部の飲料を注出させる炭酸飲料注出器、この炭酸飲料注出器が装着される飲料容器及び飲料の注出方法に関する。
【０００２】
【従来の技術】
従来から、飲料容器の口部に装着して内部の炭酸飲料を注出する小型の炭酸飲料注出器が知られている。このような炭酸飲料注出器は、飲料容器の口部に装着させる装着部と、飲料容器内に所定圧のガスを送り込むガスボンベと、この飲料容器内とを連通するガス供給路と、飲料容器に挿入される取出路と、取り出された飲料を注出する注出部と、前記取出路により取り出され、前記注出部から注出される飲料の流通を許可する開閉バルブとを備えており、これらが一体的なユニットとして構成されている。かかる炭酸飲料注出器を飲料容器に取り付けるには、飲料容器の口部を閉鎖するキャップを取り外し、この口部に炭酸飲料注出器の装着部をねじ込むようにして装着させていた。
【０００３】
また、炭酸飲料注出器を装着した後、飲料容器に飲料が残存している場合には、飲料容器を冷蔵庫で保存する場合もある。この場合、ビール充填用の樽のように飲料容器が大きな場合には、炭酸飲料注出器を飲料容器から取り外し、再びキャップを閉めてから冷蔵庫で保管することが行われていた。
【０００４】
すなわち、小型のディスペンサが取り付けられる飲料容器としては、炭酸飲料注出器が装着されてから一度に飲料を飲みきってしまう程度の小型の飲料容器がある一方で、数日かけて内部の飲料をすべて飲み切るような樽等の比較的大型の飲料容器が存在している。
【０００５】
【発明が解決しようとする課題】
従来からある上記炭酸飲料注出器では、飲料容器に装着する際に、飲料容器の口部を閉塞しているキャップを取り外し、その後炭酸飲料注出器を取り付けていたため、キャップを取り外した際に内部の飲料が空気に曝されてしまい、飲料が酸化しやすくなる不都合な点があった。また、一旦装着した炭酸飲料注出器を取り外し、再びキャップで飲料容器の口部を閉塞する作業を行う場合にも内部の飲料が空気に曝されてしまう。
【０００６】
本発明は、かかる問題点に鑑みなされたものであり、飲料容器内の飲料が酸化されることなく飲み切ることのできる炭酸飲料注出器、飲料容器並びに飲料の注出方法を提供する。
【０００７】
【課題を解決するための手段】
本発明では、上記課題を解決するために、飲料容器（２０）の口部（２２）に装着させる装着部（２，３２）と、前記飲料容器（２０）内に所定圧のガスを送り込むガスボンベ（１１，４０）と前記飲料容器（２０）内とを連通するガス供給路（１５，４４）と、前記飲料容器（２０）に挿入される取出路（７）と、取り出された前記飲料容器（２０）内の飲料を注出する注出部（３，３４）と、前記取出路（７）により取り出され、前記注出部（３，３４）から注出される飲料の流通を許可する開閉バルブ（４，３６）とが、一体的なユニットとして構成され、前記取出路（７）の先端には、前記飲料容器（２０）の口部（２２）を閉塞しているキャップ体に貫通孔を形成せしめる穿孔部（９，３５）が設けられている炭酸飲料注出器を採用した。
【０００８】
本発明によれば、飲料容器（２０）の口部（２２）を閉塞しているキャップ体を取り外すことなく炭酸飲料注出器を装着することができるので、炭酸飲料注出器を装着する際に飲料容器（２０）に収容された飲料を空気に曝すことがない。従って飲料が酸化することを効果的に防止できる。なお、前記取出路（７）の先端に減速部（９）が設けられている場合には、この減速部（９）を穿孔部（９）として構成すれば、穿孔部（９）を別途設ける必要が無く便利である。
【０００９】
また、本発明では、上記課題を解決するために、内部の飲料を注出するための炭酸飲料注出器が装着される口部（６２）を有する飲料容器（６０）であって、対向する側面間の外寸が所定の寸法以内である部分が少なくとも１ヶ所形成され、かつ、前記炭酸飲料注出器が前記口部（６２）に装着された際の全高が所定の寸法以内となるようにその外寸が形成された飲料容器（６０）を採用した。
【００１０】
飲料容器（６０）に収容された飲料を一度に全部飲み切らず、数回に分けて飲料を飲み切る場合、炭酸飲料注出器を飲料用に装着したままの状態で冷蔵庫に保管すれば、飲料容器（６０）内の飲料が空気に曝されることなく、飲料が酸化されることを防止できる。本発明では、上記構成を採用したため、例えば家庭用の冷蔵庫の扉の内側に設けられた収納ポケットに保管可能な外寸に飲料容器（６０）を形成することによって、炭酸飲料注出器を装着したまま冷蔵庫に保管できる。これにより、飲料の酸化を効果的に防止できる。
【００１１】
なお、上記飲料容器（６０）をアルミニウム合金で構成すれば、重量を軽くすることができ、持ち運び等の取り扱いが容易になる。また飲料容器（６０）の製造も容易になる。
【００１２】
さらに、本発明では、上記課題を解決するために、内部に飲料の充填された飲料容器（２０，６０）の口部（２２，６２）に、飲料容器（２０，６０）の口部（２２，６２）に装着させる装着部（２，３２，７２）と、前記飲料容器（２０，６０）内に所定圧のガスを送り込むガスボンベ（１１，４０，７４）と前記飲料容器（２０，６０）内とを連通するガス供給路（１５，４４，７６）と、前記飲料容器（２０，６０）に挿入される取出路（７，７８）と、取り出された前記飲料容器（２０，６０）内の飲料を注出する注出部（３，３４，８０）と、前記取出路（７，７８）により取り出され、前記注出部（３，３４，８０）から注出される飲料の流通を許可する開閉バルブ（４，３６，９０）とが、一体的なユニットとして構成された炭酸飲料注出器を装着し、前記飲料容器（２０，６０）に充填された飲料がこの飲料容器（２０，６０）に残存する間、前記炭酸飲料注出器を前記飲料容器（２０，６０）の口部（２２，６２）に装着しておく飲料の注出方法により飲料を抽出する。
【００１３】
かかる飲料の注出方法によれば、例えば、一度に飲料を飲み切らないで、数回に分けて飲料を飲み切るような場合、飲料容器（２０，６０）の内部に収容された飲料を空気に曝すことなく保管することができる。これにより、飲料が容易に酸化することを防止できる。
【００１４】
【発明の実施の形態】
以下、本発明の実施の形態について図面を参照しながら説明する。
【００１５】
図１は本発明の一実施形態にかかる炭酸飲料注出器１をビールの充填された飲料容器２０に装着した状態を示している。
【００１６】
ビールの充填された飲料容器２０は、アルミニウム合金によって略円筒状に形成されており、その上部は先細り状に形成されている。この上部の中心には内部の飲料を取り出すための円筒状の口部２２が設けられていて、キャップ２４によって密閉されている。
【００１７】
一方、炭酸飲料注出器１は、筒状に形成された装着部２と、この装着部２から半径方向外側に張り出すように設けられた注出部３と、装着部２から下方に延びて飲料容器２０に挿入されている取出路７とを備えている。注出部３の根元部３ａは装着部２の中心を上下に貫通しており、この根元部３ａの上端がほぼ直角に折れ曲がるように形成されている。そして、この折れ曲がり部の先方が半径方向外側に張り出している。また、注出部３の半径方向外側に張り出す部分には、注出部３を開閉する開閉バルブ４が設けられており、取出路７から取り出されたビールの注出が制御されている。この開閉バルブ４には上方に向けて延びるレバー５が取り付けられている。このレバー５は、開閉バルブ４に対して枢動可能に設けられており、開閉バルブ４の開閉は当該レバー５の枢動により行われている。なお、注出部の先端部３ｂは斜め下方に向けて延びており、コップなどにビールを注ぎやすくしている。
【００１８】
取出路７は、その上端が装着部２の中心にて注出部３と連通している一方、その下端には減速部９が取り付けられている。取出路７は、比較的剛性の高い材料で形成された管であり、後に詳述するように、飲料容器２０のキャップ２４に貫通孔を穿孔し、当該取出路７を飲料容器２０の内部に挿入させる穿孔器として利用される。この取出路７の下端に設けられた減速部９は下方に向けて先細り状に形成されていて、キャップ２４を容易に貫通させることができるように構成されている。この減速部９は、飲料容器２０から当該取出路７にビールが導入される際、ビールの流速を適切な流速に減速させるものであり、炭酸飲料注出器１からコップにビールが注出された際、コップ内で過剰に泡立つのを防止している。
【００１９】
さらに、装着部２には内部に炭酸ガスが充填された筒状のガスボンベ１１が取り付けられている。このガスボンベ１１は飲料容器２０に炭酸ガスを供給し、飲料容器２０内を所定の圧力まで上昇させるものであり、減圧弁１３及び装着部２に設けられた供給路１５とを介して飲料容器２０の内部と連通している。供給路１５は、装着部２の側面から装着部２の中心に向けて進入しており、装着部２の中心からやや半径方向外側の位置で下方に折れ曲がるように形成され、その先端が飲料容器２０に連通している。一方、装着部２の側面から半径方向外側に突出する部分には減圧弁１３が取り付けられている。減圧弁１３は、ガスボンベ１１に充填された高圧の炭酸ガスを所定の圧力まで低下させてから飲料容器２０に送り込むためのものである。この減圧弁１３にはガスボンベ１１が着脱自在に取り付けられる取付口が設けられており、ガスボンベ１１はその先端が挿入されるようにして取付口に取り付けられている。
【００２０】
以上に説明した炭酸飲料注出器１は図２に示すようにして飲料容器２０の口部２２に取り付けられる。
【００２１】
上述のように、飲料容器２０の口部２２はキャップ２４によって密閉されている。このキャップ２４は柔らかい部材で形成されていて、キャップ２４の上端面に孔を開けることが比較的容易に構成されている。炭酸飲料注出器１は、その装着部２から下方に向けて延びる取出路７を当該キャップ２４に貫通させることで飲料容器２０の口部２２に装着される。
【００２２】
まず、取出路７の下端に設けられた減速部９でキャップ２４を穿孔する。この減速部９は下方に向けて先細り状に形成されているため、当該減速部９が刃物の役割を果たしている。なお、減速部９と取出路７との付け根部分では、減速部９の横断面積が口部２２中心から周縁までの約半分を占める程度に形成されているため、キャップ２４には比較的大きな貫通孔が穿孔される。
【００２３】
その後、取出路７をキャップ２４に形成された孔を通して飲料容器２０に挿入させて、炭酸飲料注出器１の装着部２を飲料容器２０の口部２２にまで接近させる。
【００２４】
そして、口部２２の外周面に形成された雄ねじ２２ａに装着部２の内周面の雌ねじ２ａを螺合させて炭酸飲料注出器１を飲料容器２０の口部２２に装着させる。この際、キャップ２４には減速部９によって比較的大きな孔が穿孔されているため、ガスボンベ１１と連通している供給路１５の先端がキャップ２４と干渉することはなく、炭酸飲料注出器１の装着部２は円滑に口部２２に対して回転される。また、取出路７は、装着部２の中心部にて下方に延びているため、装着部２を口部２２に対して回転させても、取出路７及び減速部９が飲料容器２０内部のビールをむやみに撹拌することがない。このため、炭酸飲料注出器１を飲料容器２０に装着させる際、飲料容器２０内でビールが過剰に泡立つことが防止される。
【００２５】
以上の炭酸飲料注出器１及び飲料容器２０によれば、飲料容器２０に充填されたビールは、次のようにコップに注出される。
【００２６】
ガスボンベ１１内の炭酸ガスは減圧弁１３により所定の圧力に減圧されて、装着部２内の供給路１５に供給され、当該供給路１５を流れて飲料容器２０の内部に供給される。これにより、飲料容器２０の内部は所定の圧力まで上昇する。レバー５を操作して開閉バルブ４を閉状態から開状態にすると、所定の圧力に保持された飲料容器２０内部のビールは、炭酸ガスに押されるようにして取出路７の先端の減速部９に導入される。
【００２７】
減速部９に導入されたビールは、上述したように減速部９によりその流速が失速され、適切な流速で取出路７に供給される。そして、ビールは、この取出路７を上昇し、装着部２の内部にて注出部３に供給される。
【００２８】
注出部３に供給されたビールは、開閉バルブ４を通過し、注出部３の先端の注出口からコップ（不図示）へ注出される。
【００２９】
一方、レバー５を操作して開閉バルブ４を閉状態に戻すと、注出されていたビールがストップされる。これにより、飲料容器２０内で炭酸ガスにより取出路７へ押し出されていたビールは、その流れが停止される。そして飲料容器２０内部に収容されたビール並びに取出路７内部に残留しているビールは平衡状態に保持される。
【００３０】
この小型の炭酸飲料注出器１では、かかるレバー５の操作によってビールの注出及び停止が行われる。なお、飲料容器２０に収容されたビールを一度に飲み切ることができない場合もある。かかる場合には、飲料容器２０に炭酸飲料注出器１を取り付けたままの状態で冷蔵庫に保管することで、内部のビールが空気に曝されることを防止できる。
【００３１】
なお、図１及び図２示した炭酸飲料注出器１にあっては、取出路７が剛性の高い部材で形成されたものについて説明したが、この取出路７の先端に取り付けられた減速部９でキャップ２４に貫通孔を穿孔できれば、これには限定されない。例えば、減速部９のみ図１及び図２に示したものを採用し、取出路７としては柔らかい材料で形成されたチューブを使用しても、キャップ２４に穿孔できるので、かかる構成を採用しても構わない。
【００３２】
以上、飲料容器２０の口部２２を上側に向け、炭酸飲料注出器１を飲料容器２０の上側に装着したものについて説明したが、図３及び図４では、口部２２を下側に向け、この下側に向けられた口部２２に炭酸飲料注出器３０を取り付けた実施形態を示している。
【００３３】
この実施形態においては、ビールが収容された飲料容器２０がスタンド５０により支持されている。スタンド５０は飲料容器２０胴部２０ａと上部２０ｂとを連結しているかしめ部分２６を保持するリング状の保持部５２と、この保持部５２を下方から支持する脚部５４…５４とから構成されている。
【００３４】
飲料容器２０はその口部２２が下側に向けられた状態にて、スタンド５０の保持部５２により所定の高さの位置に保持されている。この飲料容器２０の口部２２は、柔らかい材料によって形成された中蓋２５が口部２２の端縁に密着されることにより密閉されている。なお、炭酸飲料注出器３０をこの飲料容器２０に装着させる前段階にあっては、樹脂製のスクリューキャップ（不図示）が螺合されている。
【００３５】
炭酸飲料注出器３０は、このスクリューキャップ８（不図示）の取り外された後の口部２２に装着されている。当該炭酸飲料注出器３０もその基本構造は上記炭酸飲料注出器３０とほぼ同様であり、筒状に形成された装着部３２と、この装着部３２から半径方向外側に張り出すように設けられた注出部３４を備えている。また、炭酸ガスが充填された筒状のガスボンベ４０が装着部３２の側方から半径方向外側に突出するようにして取り付けられている。このガスボンベ４０は、装着部３２に形成された供給路４４及び装着部３２の側方にて供給路４４の端部に設けられた減圧弁４２を介して飲料容器２０の内部と連通している。
【００３６】
この炭酸飲料注出器３０では、注出部３４の根元部３４ａは装着部３２の中心部にて装着部３２から下方に延び、根元部３４ａの下端が折れ曲げられ、その先方が半径方向外側に張り出すように構成されている。そして、飲料容器２０のビールの注出を許可する開閉バルブ３６は、半径方向外側に張り出す部分に設けられており、開閉バルブ３６を開閉せしめるレバー３８は、この開閉バルブ３６から上方に延びる向きに取り付けられている。なお、注出部３４の先端部３４ｂは、コップにビールを注ぎ込みやすくするために斜め下方に延びるように形成されている。
【００３７】
なお、この炭酸飲料注出器３０には、飲料容器２０の内部に挿入される取出路は設けられていない。すなわち、装着部３２の中心を上下に延びるように設けられた注出部３４の根元部３４ａが直に飲料容器２０の口部２２に挿入されている。この注出部３４の根元部３４ａは飲料容器２０に収容されたビールが飲料容器２０の下部に位置する口部２２から取り出すことができるように、装着部３２から上方に突出する部分の長さが短く形成され、その上端３５が口部２２の内部に位置している。この上端３５は、先細り状に形成されており、飲料容器２０の口部２２を密閉している中蓋２５を容易に突き破ることができるように形成されている。
【００３８】
一方、ガスボンベ４０と飲料容器２０の内部とを連通している供給路４４は、装着部３２の側方から装着部３２に進入し、装着部３２の内部で上方に向けて折れ曲がるように形成されている。そして、その先端４５が飲料容器２０の口部２２の内部にまで延びている。この供給路４４の先端４５についても、先細り状に形成されており、飲料容器２０の口部２２を密閉している中蓋２５を容易に突き破ることができるように形成されている。
【００３９】
この口部２２を下側に向ける実施形態では、飲料容器２０に収容されたビールの自重によりビールが注出部３４に送り出されるので、ガスボンベ４０に充填された炭酸ガスの圧力が低めに設定されたものを採用することができる。また、炭酸ガスを減圧弁４２で比較的低く抑えて飲料容器２０に供給できるので、供給された炭酸ガスにより内部のビールが撹拌されることも防止できる。
【００４０】
この実施形態についても、飲料容器２０に収容されたビールを注出するには、開閉バルブ３６に取り付けられたレバー３８をバルブに対して枢動させ、開閉バルブ３６を開状態にすることで行う。一方、ビールの注出を停止するには、レバー３８を元の位置まで戻し、開閉バルブ３６を閉状態に復帰させる。
【００４１】
以上に説明した炭酸飲料注出器３０は、次に説明する手順により飲料容器２０の口部２２に装着される。
【００４２】
炭酸飲料注出器３０を装着させるときは、飲料容器２０の口部２２を上側に向けておく。上側に口部２２を向けた状態で樹脂製のスクリューキャップ（不図示）を口部２２から取り外す。次いで、注出部３４の根元部３４ａ及び供給路４４の先端４５で口部２２を密閉している中蓋２５を突き破りながら炭酸飲料注出器３０を口部２２に螺合させる。中蓋２５は柔らかい材料で形成されているため、供給路４４が注出部３４の根元部３４ａの回りを回転しても、供給路４４は中蓋２５を容易に引き裂くことができ、炭酸飲料注出器３０は円滑に口部２２に装着される。
【００４３】
次いで、飲料容器２０を天地逆転させ、炭酸飲料注出器３０を下側に向けた状態でスタンド５０の保持部５２に飲料容器２０の外周部を保持させる。その後、ガスボンベ４０を減圧弁４２の取付口に取り付け、飲料容器２０の内部に炭酸ガスを供給し、内部に収容されたビールを注出可能な状態とする。
【００４４】
次に、図５を参照しながら本発明のさらに別の実施形態について説明する。
【００４５】
この実施形態にかかる炭酸飲料注出器７０及び飲料容器６０は、冷蔵庫に保存する便宜を考慮してその外寸が定められ、炭酸飲料注出器７０を飲料容器６０から取り外すことなく保管できるように構成したものである。
【００４６】
この飲料容器６０はアルミニウム合金によって円筒状に形成されており、その上部に円筒状の口部６２が形成されている。口部６２には内部に収容されたビールを注出するための炭酸飲料注出器７０が装着されている。また、飲料容器６０の底部には、この飲料容器６０に対して着脱自在なトレイＴが設けられている。
【００４７】
炭酸飲料注出器７０は、飲料容器６０の口部６２に装着させる装着部７２と、飲料容器６０内に所定圧のガスを送り込むガスボンベ７４と飲料容器６０内とを連通する供給路７６と、前記飲料容器６０に挿入される取出路７８と、取り出された前記飲料容器６０内の飲料を注出する注出部８０とが一体的なユニットとして構成されている。
【００４８】
装着部７２は円筒状に形成されており、その内周面に形成された雌ねじを口部６２の外周面に形成された雄ねじに螺合せしめて口部６２に装着されている。装着部７２の上部は上端が閉塞されたこの炭酸飲料注出器７０の頭部８２であり、その側面には半径方向外側に向けてガスボンベ７４が張り出すようにして取り付けられている。また、ガスボンベ７４が取り付けられた位置と対称をなす位置には、細長い管により形成された注出部８０がガスボンベ７４とは逆側に向けて張り出している。さらに、装着部７２から下方に向けて垂下するように設けられ、飲料容器６０の内部に挿入されている取出路７８が設けられている。
【００４９】
頭部８２には、その内部から半径方向外側に向けて突出するように設けられた減圧弁７５が内蔵されており、ガスボンベ７４はこの減圧弁７５に着脱可能に取り付けられている。減圧弁７５はその先端が下側にやや傾くように向けられており、減圧弁７５の外周は頭部８２と一体に形成されたケーシング８３により覆われている。この減圧弁７５の先端はガスボンベ７４を着脱可能に取り付ける取付口として構成されている。なお、ケーシング８３の外周面にはねじ加工がなされている。
【００５０】
一方、ガスボンベ７４は外観が略円筒状に形成されており、軸方向の一端側が先細りに形成されている。ガスボンベ７４はこの先細り部分が減圧弁７５の取付口に挿入されることで取り付けられている。このガスボンベ７４は筒状のカバー８８の内部に収容されている。カバー８８はその軸方向の一端側が閉塞されている一方、他端側が開放されている。この開放された他端側の内周面にはねじ加工がなれており、減圧弁７５の外周に形成されたケーシング８３に螺合可能に構成されている。
【００５１】
かかる構成を採用しているため、カバー８８の中にガスボンベ７４を収納し、カバー８８を減圧弁７５の外周部を覆うケーシング８３に螺合させると、ガスボンベ７４の先細り状の部分が減圧弁７５の取付口に自動的に挿入され、ガスボンベ７４が減圧弁７５に取り付けられる。この減圧弁７５は頭部８２の内部にて、供給路７６により飲料容器６０の内部と連通されている。供給路７６は頭部８２の内部で上下に延びるように設けられており、その上端が減圧弁７５と連結されている一方、その下端が飲料容器６０の口部６２内部に挿入されている。
【００５２】
以上の構成より、ガスボンベ７４に充填された炭酸ガスは、減圧弁７５で所定の圧力に減圧され、この減圧された炭酸ガスが供給路７６を介して飲料容器６０の内部に供給される。
【００５３】
注出部８０は、減圧弁７５を内部に収容しているケーシング８３と対称をなす位置において頭部８２側面から半径方向外側に突出する取付部８４に、その根元が挿入されて頭部８２に取り付けられている。この注出部８０は、内部に流通路の形成された管により構成されており、コップにビールを注出しやすいようにその先端部８０ａが斜め下側に向けて延びている。
【００５４】
この注出部８０が取り付けられている取付部８４は頭部８２の内部で連通路８６によって取出路７８と連通されており、取出路７８から取り出された飲料容器６０内のビールが注出部８０に供給されるように構成されている。また、頭部８２内部に形成された連通路８６には、開閉バルブ９０が設けられており、連通路８６を流れるビールの注出部８０への供給又は遮断を行っている。開閉バルブ９０を構成するスプール９２は上下方向に延びるように配置され、上下に往復動可能に設けられている。このスプール９２が連通路８６を閉鎖または開放することにより開閉が行われている。
【００５５】
この開閉バルブ９０のスプール９２の上部は、頭部８２の側面から側方に突出するレバー９４の根元と連結されている。レバー９４は頭部８２に対しては上下に移動可能に設けられており、スプール９２は、このレバー９４の上下動に連動してバルブ９０内を上下に移動している。スプール９２がレバー９４によって上方に移動されると、連通路８６は開放され、ビールが取出路７８から注出部８０へ供給される。一方、レバー９４によりスプール９２が下方へ押し下げられると、スプール９２の下部が連通路８６を閉鎖し、ビールの流れがストップされる。
かかる作用によってビールの注出が行われている。
【００５６】
また、取出路７８は、その上端が頭部８２に形成された連通路８６と接続されており、その全体が飲料容器６０の内部に口部６２から挿入されている。この取出路７８はチューブで構成されており、その下端には飲料容器６０に収容されたビールを減速せしめて当該取出路７８に導入させるための減速部１００が設けられている。この減速部１００はその外殻をなすハウジング１０２と、ハウジング１０２と所定の間隔を隔ててハウジング１０２内に収納されたコア部とから構成されている。ハウジング１０２の内面とコア部の外面との間に形成される隙間部分がビールを減速させて取出路７８に導入させる減速路として構成される。なお、ハウジング１０２の内面とコア部の外面との間に形成される隙間は、ハウジング１０２から突出するように設けられた調整ねじ１０４によって調整可能に構成されている。この隙間に応じて減速部１００に導入されたビールの減速の程度が変化され、ガスボンベ７４に充填された炭酸ガスの圧力や減圧弁７５の減圧程度に応じて調整される。
【００５７】
以上の構成を備えた炭酸飲料注出器７０及び飲料容器６０によれば、ガスボンベ７４に充填された炭酸ガスが減圧弁７５により適切な圧力に減圧されて飲料容器６０に供給される。飲料容器６０に供給された炭酸ガスは、飲料容器６０に収容されたビールを取出路７８へ押し出す。この際、減速部１００がビールを適切な流速に減速せしめて取出路７８へ導入させている。
【００５８】
そして、頭部８２の側方に突出するレバー９４を操作して、頭部８２内に設けられた開閉バルブ９０を開状態にすると、ビールは頭部８２内の連通路８６を通過して、注出部８０へ供給される。そして注出部８０の先端に設けられた注出口８１からビールはコップ等の容器に注出される。この際、注出されるビールは取出路７８の先端に設けられた減速部１００で適切な流速に減速されているので、コップ等内部で過剰に泡立つことなく注出される。一方、レバー９４を元の位置に戻すと、このレバー９４の動きに連動して、スプール９２が連通路８６を閉鎖し、ビールの流れが阻止され、ビールの注出がストップされる。
【００５９】
なお、この実施形態についても、飲料容器６０に収容されたビールを一度に飲み切ることなく、数回に分けて全量を飲むこともある。かかる場合、飲料容器６０の口部６２に炭酸飲料注出器７０を装着したまま冷蔵庫に保管することが考えられる。上述したように、当該飲料容器６０は冷蔵庫への保管を考慮してその外径及び高さが形成されている。
【００６０】
すなわち、家庭用の冷蔵庫の扉の内側に設けられた収納ポケットに炭酸飲料注出器７０を取り付けたままの状態でも十分に収納できる外寸にこの飲料容器６０は形成されている。この飲料容器６０の外径は１００ｍｍ以内に形成され、また炭酸飲料注出器７０を装着した状態における全高が３２０ｍｍ以内に収まるように形成されている。なお、当該炭酸飲料注出器７０は、減圧弁７５が頭部８２に内蔵されているので、ガスボンベ７４を取り付けた際、ガスボンベ７４の半径方向外側への張り出しを極力抑えることができ、コンパクトな炭酸飲料注出器７０に形成されている。このため、家庭用の冷蔵庫であっても、その扉内部の収納ポケットに楽に保管することができる。
【００６１】
なお、この飲料容器６０はその胴部が円筒状に形成され、その外径を所定の寸法に形成したものについて説明したが、飲料容器は円筒状に形成されたものには限定されない。例えば、胴部の形状を直方体又はその他の多面体に形成し、その側面の対向する部分が所定間隔の寸法に形成されたものを採用してもよい。かかる形状の飲料容器も、家庭用の冷蔵庫の収納ポケットに保管することできる。この場合、前記所定間隔の寸法に形成された部分を少なくとも１ヶ所形成すればよい。
【００６２】
以上、本発明の実施の形態について、飲料としてビールを例に説明したが、ビールに限定されるものではなく、発泡酒、コーラ等の炭酸飲料、その他の飲料に適用しても構わない。
【００６３】
【発明の効果】
以上、本発明によれば、飲料容器に収容された飲料を酸化させることなく飲みきることができる。また、家庭用の冷蔵庫に容易に保管でき、取り扱いも便利である。
【図面の簡単な説明】
【図１】本発明の一実施形態にかかる炭酸飲料注出器を飲料容器に装着した状態を示す一部断面側面図。
【図２】図１の炭酸飲料注出器を飲料容器に装着する手順の説明図。
【図３】図１の炭酸飲料注出器とは別の実施形態にかかる炭酸飲料注出器がスタンドに支持された状態を示す側面図。
【図４】図３に示す炭酸飲料注出器の装着の縦断面拡大図。
【図５】本発明の飲料容器にさらに別の実施形態にかかる炭酸飲料注出器を装着した状態の部分断面側面図。
【符号の説明】
１，３０，７０  炭酸飲料注出器
２，３２，７２  装着部
３，３４，８０  注出部
７，７８  取出路
９  減速部（穿孔部）
１１，４０，７４  ガスボンベ
１３，４２，７５  減圧弁
１５，４４，７６  供給路
２０，６０  飲料容器
２２，６２  口部
３５  穿孔部
８４  取付部
８６  連通路
１００  減速部
【図１】
0004562328.tif 000002
【図２】
0004562328.tif 000003
【図３】
0004562328.tif 000004
【図４】
0004562328.tif 000005
【図５】
0004562328.tif 000006